(57)【要約】【課題】無線基地局ｅＮＢが、共有リソースを介して送信された上りデータ信号に対して適切にデスクランブリング処理を施す。【解決手段】本発明に係る移動通信システムは、移動局ＵＥが、移動局ＵＥのＣ-ＲＮＴＩを含む第１上りリンクスケジューリンググラントを受信した場合、無線基地局ｅＮＢに対して上りリンクスケジューリンググラントによって指定されている個別上りリソースを用いて移動局ＵＥのＣ-ＲＮＴＩによってスクランブリング処理を施した上りデータ信号を送信する工程と、移動局ＵＥが、ＣＢ-ＲＮＴＩを含む第２上りリンクスケジューリンググラントを受信した場合、無線基地局ｅＮＢに対して第２上りリンクスケジューリンググラントによって指定されている共有上りリソースを用いてＣＢ-ＲＮＴＩによってスクランブリング処理を施した上りデータ信号を送信する工程とを有する。【選択図】図４
2011041161.tif 000002
【特許請求の範囲】
【請求項１】
移動局が、無線基地局から、移動局の識別情報を含む第１上りスケジューリング信号を受信した場合、該無線基地局に対して、該第１上りスケジューリング信号によって指定されている個別上りリソースを用いて、前記移動局の識別情報によってスクランブリング処理を施した上りデータ信号を送信する工程と、
前記移動局が、前記無線基地局から、特定の移動局の識別情報ではない所定識別情報を含む第２上りスケジューリング信号を受信した場合、該無線基地局に対して、該第２上りスケジューリング信号によって指定されている共有上りリソースを用いて、前記所定識別情報によってスクランブリング処理を施した上りデータ信号を送信する工程とを有することを特徴とする移動通信方法。
【請求項２】
前記無線基地局が、前記個別上りリソースを用いて送信された上りデータ信号に対して、前記移動局の識別情報を用いてデスクランブリング処理を施す工程と、
前記無線基地局が、前記共有上りリソースを用いて送信された上りデータ信号に対して、前記所定識別情報を用いてデスクランブリング処理を施す工程とを有することを特徴とする請求項１に記載の移動通信方法。
【請求項３】
前記無線基地局が、前記移動局に対して、前記所定識別情報を指定する工程を有することを特徴とする請求項１に記載の移動通信方法。
【請求項４】
無線基地局から、移動局の識別情報を含む第１上りスケジューリング信号を受信した場合、該無線基地局に対して、該第１上りスケジューリング信号によって指定されている個別上りリソースを用いて、前記移動局の識別情報によってスクランブリング処理を施した上りデータ信号を送信するように構成されている第１送信部と、
前記無線基地局から、特定の移動局の識別情報ではない所定識別情報を含む第２上りスケジューリング信号を受信した場合、該無線基地局に対して、該第２上りスケジューリング信号によって指定されている共有上りリソースを用いて、前記所定識別情報によってスクランブリング処理を施した上りデータ信号を送信するように構成されている第２送信部とを具備することを特徴とする移動局。
【請求項５】
前記所定識別情報は、前記無線基地局によって指定されることを特徴とする請求項４に記載の移動局。
【請求項６】
移動局の識別情報を含み個別上りリソースを指定する第１上りスケジューリング信号を送信し、特定の移動局の識別情報ではない所定識別情報を含み共有上りリソースを指定する第２上りスケジューリング信号を送信するように構成されている送信部と、
移動局によって前記個別上りリソースを用いて送信された上りデータ信号に対して、前記移動局の識別情報を用いてデスクランブリング処理を施し、該移動局によって前記共有上りリソースを用いて送信された上りデータ信号に対して、前記所定識別情報を用いてデスクランブリング処理を施すように構成されているデ゛スクランブリング処理部とを具備することを特徴とする無線基地局。
【請求項７】
前記移動局に対して、前記所定識別情報を指定するように構成されている指定部を具備することを特徴とする請求項６に記載の無線基地局。
【発明の詳細な説明】
【技術分野】
【０００１】
本発明は、移動通信方法、移動局及び無線基地局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式の仕様策定会合において、「Ｃｏｎｔｅｎｔｉｏｎ  Ｂａｓｅｄ  Ｇｒａｎｔ」を用いた衝突型上り送信制御方法の採用が提案されている（非特許文献１参照）。以下、「Ｃｏｎｔｅｎｔｉｏｎ  Ｂａｓｅｄ  Ｇｒａｎｔ」を用いた衝突型上り送信制御方法について簡単に説明する。
【０００３】
第１に、移動局ＵＥが、移動局ＵＥのＣ-ＲＮＴＩ（Ｃｅｌｌ-Ｒａｄｉｏ  Ｎｅｔｗｏｒｋ  Ｔｅｍｐｏｒａｒｙ  Ｉｄｅｎｔｉｔｙ）宛てのＰＤＣＣＨ（Ｐｈｙｓｉｃａｌ  Ｄｏｗｎｌｉｎｋ  Ｃｏｎｔｒｏｌ  Ｃｈａｎｎｅｌ、物理下りリンク制御チャネル）を介して送信される上りリンクスケジューリンググラント（Ｕｐｌｉｎｋ  Ｓｃｈｅｄｕｌｉｎｇ  Ｇｒａｎｔ）に加えて、ＣＢ-ＲＮＴＩ（Ｃｏｎｔｅｎｔｉｏｎ  Ｂａｓｅｄ-Ｒａｄｉｏ  Ｎｅｔｗｏｒｋ  Ｔｅｍｐｏｒａｒｙ  Ｉｄｅｎｔｉｔｙ）宛てのＰＤＣＣＨを介して送信される上りリンクスケジューリンググラントについても監視し受信する。
【０００４】
第２に、移動局ＵＥは、ＣＢ-ＲＮＴＩ宛てのＰＤＣＣＨを介して送信される上りリンクスケジューリンググラントを受信した場合、かかる上りリンクスケジューリンググラントによって指定されているＴＦ（Ｔｒａｎｓｍｉｓｓｉｏｎ  Ｆｏｒｍａｔ、送信フォーマット）やＭＣＳ（Ｍｏｄｕｌａｔｉｏｎ  ａｎｄ  Ｃｏｄｅ  Ｓｈｅｍｅ、変調方式及び符号化方式の組み合わせ）やリソースブロック（ＲＢ：Ｒｅｓｏｕｒｃｅ  Ｂｌｏｃｋ）等を用いて、ＰＵＳＣＨ（Ｐｈｙｓｉｃａｌ  Ｕｐｌｉｎｋ  Ｓｈａｒｅｄ  Ｃｈａｎｎｅｌ、物理上りリンク共有チャネル）を介して上りデータ信号を送信する。
【０００５】
ここで、移動局ＵＥは、誰が上りデータ信号を送信したか分かるように、上りデータ信号に対して、移動局ＵＥのＣ-ＲＮＴＩを含む「ＭＡＣ  ＣＥ（Ｃｏｎｔｒｏｌ  Ｅｌｅｍｅｎｔ）」を付加しておく。
【０００６】
この結果、「Ｃｏｎｔｅｎｔｉｏｎ  Ｂａｓｅｄ  Ｇｒａｎｔ」を用いた衝突型上り送信制御方法によれば、「移動局ＵＥによるスケジューリング要求（Ｓｃｈｅｄｕｌｉｎｇ  Ｒｅｑｕｅｓｔ）の送信」→「無線基地局ｅＮＢによる上りリンクスケジューリンググラントの送信」→「移動局ＵＥによるバッファステータスレポート（Ｂｕｓｆｆｅｒ  Ｓｔａｔｕｓ  Ｒｅｐｏｒｔ）の送信」→「無線基地局ｅＮＢによる上りリンクスケジューリンググラントの送信」→「移動局ＵＥによる上りデータ信号の送信」というＬ２手順を省くことができ、上りデータ信号の送信遅延を短縮することができると考えられている。
【０００７】
また、「Ｃｏｎｔｅｎｔｉｏｎ  Ｂａｓｅｄ  Ｇｒａｎｔ」を用いた衝突型上り送信制御方法によれば、通常のＣ-ＲＮＴＩ宛てのスケジューリングした後の未使用の上りリソースを効率的に使用することができると考えられている。
【先行技術文献】
【非特許文献】
【０００８】
【非特許文献１】３ＧＰＰ寄書  Ｒ２-０９３８１２
【発明の概要】
【発明が解決しようとする課題】
【０００９】
しかしながら、従来のＬＴＥ-Ｒｅｌ.８方式の移動通信システムでは、移動局ＵＥは、移動局ＵＥのＣ-ＲＮＴＩを用いてスクランブリング処理を施した上りデータ信号を送信するように構成されているため、無線基地局ｅＮＢは、ＣＢ-ＲＮＴＩ宛てのＰＤＣＣＨを介して送信した上りリンクスケジューリンググラントによって指定されている共有リソースを用いて、どの移動局ＵＥが上りデータ信号を送信してくるのか予測することができないため、かかる共有リソースを介して送信された上りデータ信号に対して適切にデスクランブリング処理を施すことができないという問題点があった。
【００１０】
そこで、本発明は、上述の課題に鑑みてなされたものであり、「Ｃｏｎｔｅｎｔｉｏｎ  Ｂａｓｅｄ  Ｇｒａｎｔ」を用いた衝突型上り送信制御方法が用いられた場合に、無線基地局ｅＮＢが、共有リソースを介して送信された上りデータ信号に対して適切にデスクランブリング処理を施すことができる移動通信方法、移動局及び無線基地局を提供することを目的とする。
【課題を解決するための手段】
【００１１】
本発明の第１の特徴は、移動通信方法であって、移動局が、無線基地局から、移動局の識別情報を含む第１上りスケジューリング信号を受信した場合、該無線基地局に対して、該第１上りスケジューリング信号によって指定されている個別上りリソースを用いて、前記移動局の識別情報によってスクランブリング処理を施した上りデータ信号を送信する工程と、前記移動局が、前記無線基地局から、特定の移動局の識別情報ではない所定識別情報を含む第２上りスケジューリング信号を受信した場合、該無線基地局に対して、該第２上りスケジューリング信号によって指定されている共有上りリソースを用いて、前記所定識別情報によってスクランブリング処理を施した上りデータ信号を送信する工程とを有することを要旨とする。
【００１２】
本発明の第２の特徴は、移動局であって、無線基地局から、移動局の識別情報を含む第１上りスケジューリング信号を受信した場合、該無線基地局に対して、該第１上りスケジューリング信号によって指定されている個別上りリソースを用いて、前記移動局の識別情報によってスクランブリング処理を施した上りデータ信号を送信するように構成されている第１送信部と、前記無線基地局から、特定の移動局の識別情報ではない所定識別情報を含む第２上りスケジューリング信号を受信した場合、該無線基地局に対して、該第２上りスケジューリング信号によって指定されている共有上りリソースを用いて、前記所定識別情報によってスクランブリング処理を施した上りデータ信号を送信するように構成されている第２送信部とを具備することを要旨とする。
【００１３】
本発明の第３の特徴は、無線基地局であって、移動局の識別情報を含み個別上りリソースを指定する第１上りスケジューリング信号を送信し、特定の移動局の識別情報ではない所定識別情報を含み共有上りリソースを指定する第２上りスケジューリング信号を送信するように構成されている送信部と、移動局によって前記個別上りリソースを用いて送信された上りデータ信号に対して、前記移動局の識別情報を用いてデスクランブリング処理を施し、該移動局によって前記共有上りリソースを用いて送信された上りデータ信号に対して、前記所定識別情報を用いてデスクランブリング処理を施すように構成されているデ゛スクランブリング処理部とを具備することを要旨とする。
【発明の効果】
【００１４】
以上説明したように、本発明によれば、「Ｃｏｎｔｅｎｔｉｏｎ  Ｂａｓｅｄ  Ｇｒａｎｔ」を用いた衝突型上り送信制御方法が用いられた場合に、無線基地局ｅＮＢが、共有リソースを介して送信された上りデータ信号に対して適切にデスクランブリング処理を施すことができる移動通信方法、移動局及び無線基地局を提供することができる。
【図面の簡単な説明】
【００１５】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動通信システムの動作を示すシーケンス図である。
【発明を実施するための形態】
【００１６】
（本発明の第１の実施形態に係る移動通信システムの構成）
図１乃至図３を参照して、本発明の第１の実施形態に係る移動通信システムの構成について説明する。
【００１７】
本実施形態に係る移動通信システムは、ＬＴＥ-Ａｄｖｅｎｃｅｄ方式の移動通信システムであり、上りリンクの同期状態が保たれている移動局ＵＥに対して、「Ｃｏｎｔｅｎｔｉｏｎ  Ｂａｓｅｄ  Ｇｒａｎｔ」を用いた衝突型上り送信制御方法を適用するように構成されている。
【００１８】
図１に示すように、本実施形態に係る移動通信システムでは、移動局ＵＥは、無線基地局ｅＮＢに対して、ＰＵＳＣＨを介して、上りデータ信号を送信し、ＰＵＣＣＨ（Ｐｈｙｓｉｃａｌ  Ｕｐｌｉｎｋ  Ｃｏｎｔｒｏｌ  Ｃｈａｎｎｅｌ、物理上りリンク制御チャネル）を介して、上り制御信号を送信するように構成されている。
【００１９】
一方、本実施形態に係る移動通信システムでは、無線基地局ｅＮＢは、移動局ＵＥに対して、ＰＤＳＣＨ（Ｐｈｙｓｉｃａｌ  Ｄｏｗｎｌｉｎｋ  Ｓｈａｒｅｄ  Ｃｈａｎｎｅｌ、物理下りリンク共有チャネル）を介して、下りデータ信号を送信し、ＰＤＣＣＨを介して、下り制御信号を送信するように構成されている。
【００２０】
図２に示すように、移動局ＵＥは、ＰＤＣＣＨ受信部１１と、スクランブリング処理部１２と、ＰＵＳＣＨ送信部１３と、ＰＨＩＣＨ受信部１４とを具備している。
【００２１】
ＰＤＣＣＨ受信部１１は、移動局ＵＥのＣ-ＲＮＴＩ宛てのＰＤＣＣＨを介して送信される上りリンクスケジューリンググラント、換言すると、ＰＤＣＣＨを介して移動局ＵＥのＣ-ＲＮＴＩを含む第１上りリンクスケジューリンググラント（第１上りスケジューリング信号）を受信するように構成されている。
【００２２】
また、ＰＤＣＣＨ受信部１１は、ＣＢ-ＲＮＴＩ宛てのＰＤＣＣＨを介して送信される上りリンクスケジューリンググラント、換言すると、ＣＢ-ＲＮＴＩを含む第２上りリンクスケジューリンググラント（第２上りスケジューリング信号）を受信するように構成されている。
【００２３】
なお、ＣＢ-ＲＮＴＩは、特定の移動局ＵＥのＣＲＮＴＩではない所定識別情報であって、無線基地局ｅＮＢによって報知情報で指定されてもよいし、無線基地局ｅＮＢによって個別シグナリング（例えば、ＲＲＣメッセージ）で指定されてもよい。
【００２４】
スクランブリング処理部１２は、第１上りリンクスケジューリンググラントによって指定されている個別上りリソースを用いて送信する上りデータ信号に対して、移動局ＵＥのＣ-ＲＮＴＩによってスクランブリング処理を施すように構成されている。
【００２５】
また、スクランブリング処理部１２は、第２上りリンクスケジューリンググラントによって指定されている共有上りリソースを用いて送信する上りデータ信号に対して、移動局ＵＥのＣＢ-ＲＮＴＩによってスクランブリング処理を施すように構成されている。
【００２６】
例えば、スクランブリング処理部１２によるスクランブリング処理は、３ＧＰＰの仕様書ＴＳ３５.２１１の５.３.１章「Ｓｃｒａｍｂｌｉｎｇ」に記載されているスクランブリング処理において、「ｎＲＮＴＩ」として、Ｃ-ＲＮＴＩではなく、ＣＢ-ＲＮＴＩを用いたものである。
【００２７】
ここで、第１上りリンクスケジューリンググラントは、移動局ＵＥのみが使用可能な上りリソースを指定するため、本明細書では、かかる第１上りリンクスケジューリンググラントによって指定されている上りリソースを「個別上りリソース」と示す。
【００２８】
一方、第２上りリンクスケジューリンググラントは、複数の移動局ＵＥが使用可能な上りリソースを指定するため、本明細書では、かかる第２上りリンクスケジューリンググラントによって指定されている上りリソースを「共有上りリソース」と示す。
【００２９】
ＰＵＳＣＨ送信部１３は、スクランブリング処理部１２によって移動局ＵＥのＣ-ＲＮＴＩを用いてスケジューリング処理が施された上りデータ信号を、第１上りリンクスケジューリンググラントによって指定されている個別上りリソースを用いて、ＰＵＳＣＨを介して送信するように構成されている。
【００３０】
また、ＰＵＳＣＨ送信部１３は、スクランブリング処理部１２によってＣＢ-ＲＮＴＩを用いてスケジューリング処理が施された上りデータ信号を、第２上りリンクスケジューリンググラントによって指定されている共有上りリソースを用いて、ＰＵＳＣＨを介して送信するように構成されている。
【００３１】
ＰＨＩＣＨ受信部１４は、ＰＵＳＣＨ送信部１３によって送信された上りデータ信号の受信結果を示す送達確認信号（ＡＣＫ/ＮＡＣＫ）を、ＰＨＩＣＨ（Ｐｈｙｓｉｃａｌ  ＨＡＲＱ  Ｉｎｄｉｃａｔｏｒ  Ｃｈａｎｎｅｌ）を介して受信するように構成されている。
【００３２】
図３に示すように、無線基地局ｅＮＢは、ＰＤＣＣＨ送信部２１と、ＰＵＳＣＨ受信部２２と、ＰＨＩＣＨ送信部２３と、報知情報送信部２４と、ＲＲＣメッセージ送信部２５とを具備している。
【００３３】
ＰＤＣＣＨ送信部２１は、移動局ＵＥのＣ-ＲＮＴＩ宛てのＰＤＣＣＨを介して上りリンクスケジューリンググラントを送信するように構成されている、換言すると、ＰＤＣＣＨを介して移動局ＵＥのＣ-ＲＮＴＩを含み個別上りリソースを指定する第１上りリンクスケジューリンググラントを送信するように構成されている。
【００３４】
また、ＰＤＣＣＨ送信部２１は、ＣＢ-ＲＮＴＩ宛てのＰＤＣＣＨを介して上りリンクスケジューリンググラントを送信するように構成されている、換言すると、ＰＤＣＣＨを介してＣＢ-ＲＮＴＩを含み共有上りリソースを指定する第２上りリンクスケジューリンググラントを送信するように構成されている。
【００３５】
ＰＵＳＣＨ受信部２２は、移動局ＵＥによって個別上りリソースを用いて送信された上りデータ信号に対して、移動局ＵＥのＣ-ＲＮＴＩを用いてデスクランブリング処理を施すことによって、ＰＵＳＣＨを介して送信された上りデータ信号を受信するように構成されている。
【００３６】
また、ＰＵＳＣＨ受信部２２は、移動局ＵＥによって共有上りリソースを用いて送信された上りデータ信号に対して、ＣＢ-ＲＮＴＩを用いてデスクランブリング処理を施すことによって、ＰＵＳＣＨを介して送信された上りデータ信号を受信するように構成されている。
【００３７】
ＰＨＩＣＨ送信部２３は、ＰＵＳＣＨ受信部２２における移動局ＵＥからの上りデータ信号の受信結果を示す送達確認信号（ＡＣＫ/ＮＡＣＫ）を、移動局ＵＥに対してＰＨＩＣＨを介して送信するように構成されている。
【００３８】
報知情報送信部２４は、報知情報を送信するように構成されている。ここで、報知情報送信部２４は、報知情報によって、上述のＣＢ-ＲＮＴＩを通知するように構成されていてもよい。
【００３９】
ＲＲＣメッセージ送信部２５は、移動局ＵＥに対して、ＲＲＣ（Ｒａｄｉｏ  Ｒｅｓｏｕｒｃｅ  Ｃｏｎｔｒｏｌ）メッセージを送信するように構成されている。ここで、ＲＲＣメッセージ送信部２５は、ＲＲＣメッセージによって、上述のＣＢ-ＲＮＴＩを通知するように構成されていてもよい。
【００４０】
（本発明の第１の実施形態に係る移動通信システムの動作）
図４を参照して、本発明の第１の実施形態に係る移動通信システムの動作について説明する。
【００４１】
図４に示すように、ステップＳ１００１において、無線基地局ｅＮＢは、ＣＢ-ＲＮＴＩ宛てのＰＤＣＣＨを介して上りリンクスケジューリンググラントを送信する。
【００４２】
ステップＳ１００２において、移動局ＵＥは、かかる上りリンクスケジューリンググラントを受信する。
【００４３】
ステップＳ１００３において、移動局ＵＥは、無線基地局ｅＮＢに対して、かかる上りリンクスケジューリンググラントによって指定されている共有上りリソースを用いて、ＰＵＳＣＨを介して、ＣＢ-ＲＮＴＩによってスクランブリング処理を施した上りデータ信号を送信する。
【００４４】
ステップＳ１００４において、無線基地局ｅＮＢは、受信した上りデータ信号に対して、復調処理及びＣＢ-ＲＮＴＩを用いたデスクランブリング処理を施す。
【００４５】
その後、無線基地局ｅＮＢは、ＣＲＣチェック結果が「ＮＧ」であると判定した場合には、ステップＳ１００５において、ＰＨＩＣＨを介して、移動局ＵＥに対して、ＨＡＲＱ-ＮＡＣＫを送信する。
【００４６】
ステップＳ１００６において、移動局ＵＥは、ＰＵＳＣＨを介して、上述の上りデータ信号を再送する。
【００４７】
ステップＳ１００７において、無線基地局ｅＮＢは、受信した上りデータ信号に対して、復調処理及びＣＢ-ＲＮＴＩを用いたデスクランブリング処理を施す。
【００４８】
その後、無線基地局ｅＮＢは、ＣＲＣチェック結果が「ＯＫ」であると判定した場合には、ステップＳ１００８において、ＰＨＩＣＨを介して、移動局ＵＥに対して、ＨＡＲＱ-ＡＣＫを送信する。
【００４９】
（本発明の第１の実施形態に係る移動通信システムの作用・効果）
本発明の第１の実施形態に係る移動通信システムによれば、無線基地局ｅＮＢが、ＣＢ-ＲＮＴＩを含む上りリンクスケジューリンググラントによって指定した共有リソースを介して受信した上りデータ信号に対して、既知のＣＢ-ＲＮＴＩを用いることによって、適切にデスクランブリング処理を施すことができる。
【００５０】
以上に述べた本実施形態の特徴は、以下のように表現されていてもよい。
【００５１】
本実施形態の第１の特徴は、移動通信方法であって、移動局ＵＥが、無線基地局ｅＮＢから、移動局ＵＥのＣ-ＲＮＴＩ（移動局ＵＥの識別情報）を含む第１上りリンクスケジューリンググラント（第１上りスケジューリング信号）を受信した場合、無線基地局ｅＮＢに対して、第１上りリンクスケジューリンググラントによって指定されている個別上りリソースを用いて、移動局ＵＥのＣ-ＲＮＴＩによってスクランブリング処理を施した上りデータ信号を送信する工程と、移動局ＵＥが、無線基地局ｅＮＢから、ＣＢ-ＲＮＴＩ（特定の移動局の識別情報ではない所定識別情報）を含む第２上りリンクスケジューリンググラント（第２上りスケジューリング信号）を受信した場合、無線基地局ｅＮＢに対して、第２上りリンクスケジューリンググラントによって指定されている共有上りリソースを用いて、ＣＢ-ＲＮＴＩによってスクランブリング処理を施した上りデータ信号を送信する工程とを有することを要旨とする。
【００５２】
本実施形態の第１の特徴において、無線基地局ｅＮＢが、個別上りリソースを用いて送信された上りデータ信号に対して、移動局ＵＥのＣ-ＲＮＴＩを用いてデスクランブリング処理を施す工程と、無線基地局ｅＮＢが、共有上りリソースを用いて送信された上りデータ信号に対して、ＣＢ-ＲＮＴＩを用いてデスクランブリング処理を施す工程とを有してもよい。
【００５３】
本実施形態の第１の特徴において、無線基地局ｅＮＢが、移動局ＵＥに対して、ＣＢ-ＲＮＴＩを指定する工程を有してもよい。
【００５４】
本実施形態の第２の特徴は、移動局ＵＥであって、無線基地局ｅＮＢから、移動局ＵＥのＣ-ＲＮＴＩを含む上りリンクスケジューリンググラントを受信した場合、無線基地局ｅＮＢに対して、第１上りリンクスケジューリンググラントによって指定されている個別上りリソースを用いて、移動局ＵＥのＣ-ＲＮＴＩによってスクランブリング処理を施した上りデータ信号を送信するように構成されており、無線基地局ｅＮＢから、ＣＢ-ＲＮＴＩを含む第２上りリンクスケジューリンググラントを受信した場合、無線基地局ｅＮＢに対して、第２上りリンクスケジューリンググラントによって指定されている共有上りリソースを用いて、ＣＢ-ＲＮＴＩによってスクランブリング処理を施した上りデータ信号を送信するように構成されているＰＵＳＣＨ送信部１３を具備することを要旨とする。
【００５５】
本実施形態の第２の特徴において、ＣＢ-ＲＮＴＩは、無線基地局ｅＮＢによって指定されてもよい。
【００５６】
本実施形態の第３の特徴は、無線基地局ｅＮＢであって、移動局ＵＥのＣ-ＲＮＴＩを含み個別上りリソースを指定する第１上りリンクスケジューリンググラントを送信し、ＣＢ-ＲＮＴＩを含み共有上りリソースを指定する第２上りリンクスケジューリンググラントを送信するように構成されているＰＤＣＣＨ送信部２１と、移動局ＵＥによって個別上りリソースを用いて送信された上りデータ信号に対して、移動局ＵＥのＣ-ＲＮＴＩを用いてデスクランブリング処理を施し、移動局ＵＥによって共有上りリソースを用いて送信された上りデータ信号に対して、ＣＢ-ＲＮＴＩを用いてデスクランブリング処理を施すように構成されているＰＵＳＣＨ受信部２２とを具備することを要旨とする。
【００５７】
本実施形態の第３の特徴において、移動局ＵＥに対して、ＣＢ-ＲＮＴＩを指定するように構成されている報知情報送信部２４又はＲＲＣメッセージ送信部２５を具備してもよい。
【００５８】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００５９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００６１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６２】
ＵＥ…移動局
１１…ＰＤＣＣＨ受信部
１２…スクランブリング処理部
１３…ＰＵＳＣＨ送信部
１４…ＰＨＩＣＨ受信部
ｅＮＢ…無線基地局
２１…ＰＤＣＣＨ送信部
２２…ＰＵＳＣＨ受信部
２３…ＰＨＩＣＨ送信部
２４…報知情報送信部
２５…ＲＲＣメッセージ送信部
【図１】
2011041161.tif 000003
【図２】
2011041161.tif 000004
【図３】
2011041161.tif 000005
【図４】
2011041161.tif 000006